(57)【要約】【課題】銀イオンの添加やＵＶ照射を適切に行うことができる給水システムを提供する。【解決手段】水栓７ａ〜７ｄのいずれか、例えば水栓７ａが開栓されると、当該水栓７ａが設けられている流量センサ５ａが流量を検出し、発信器６ａが流量信号と、水栓７ａのコード信号とを発信する。この発信信号は受信回路８ａで受信され、制御回路８ｂに伝達される。制御回路８ｂは、メモリ８ｃから水栓７ａの目標銀イオン濃度を読み出し、銀イオン添加装置２を制御して配管３へ目標銀イオン濃度となった水を送り出す。これにより、水栓７ａからは、洗面にふさわしい濃度の銀イオンを含んだ水が吐水される。水栓７ａ〜７ｄのうち２以上のものが同時に開栓状態となったときには、いずれか１個の水栓の目標銀イオン濃度となるように銀イオン添加装置２を制御してもよく、最も低い目標銀イオン濃度となるように銀イオン添加装置２を制御してもよい。【選択図】図１
2007117802.tif 000002
【特許請求の範囲】
【請求項１】
水源機器と、該水源機器から水が供給される第１ないし第ｎのｎ個の吐水部と、該水源機器に設けられた、水に対しエネルギー波又は物質を付与する付与手段とを有する給水システムにおいて、
各吐水部に、吐水状態を示す吐水信号を発信する吐水信号発信手段が設けられており、
前記付与手段に、
該吐水信号を受信する吐水信号受信手段と、
各吐水部毎の、エネルギー波又は物質の目標付与量を記憶する記憶手段と、
該受信手段で受信した吐水信号の発信元の吐水部を特定し、当該吐水部の目標付与量となるように該付与手段を制御する制御手段と
が設けられていることを特徴とする給水システム。
【請求項２】
請求項１において、前記吐水信号受信手段が複数の吐水信号を受信した場合、前記制御手段は、いずれか１つの吐水部の目標付与量となるように該付与手段を制御するものであることを特徴とする給水システム。
【請求項３】
請求項１において、前記吐水信号受信手段が複数の吐水信号を受信した場合、前記制御手段は、最も付与量が小さい吐水部に対応した付与量となるように付与手段を制御するものであることを特徴とする給水システム。
【請求項４】
吐水部と、該吐水部に供給される水に対しエネルギー波又は物質を付与する付与手段とを有する給水システムにおいて、
該吐水部からの吐水を検出する吐水検出手段と、
該吐水検出手段の吐水検出に基づいて前記付与手段を動作させる制御手段と
を備えたことを特徴とする給水システム。
【請求項５】
吐水部と、該吐水部に供給される水に対しエネルギー波又は物質を付与する付与手段とを有する給水システムにおいて、
該吐水部からの吐水を検出する吐水検出手段と、
該吐水部に設けられた付与動作用スイッチと、
該吐水検出手段が吐水を検出し、かつ該スイッチが付与動作を選択している状態のときに前記付与手段を動作させる制御手段と
を備えたことを特徴とする給水システム。
【請求項６】
請求項１ないし５のいずれか１項において、前記物質は銀イオンであることを特徴とする給水システム。
【請求項７】
請求項１ないし６のいずれか１項において、前記エネルギー波は紫外線又は超音波であることを特徴とする給水システム。
【発明の詳細な説明】
【技術分野】
【０００１】
本発明は、水栓、シャワーヘッド、浴槽給湯口などからの吐水に対し銀イオン等の物質を添加したり、ＵＶ（紫外線）等のエネルギー波を照射したりするための給水システムに関する。
【背景技術】
【０００２】
複数の水栓からの吐水に対し銀イオンを添加するように、水道配管の元管側に銀溶出モジュールを設けることが特開２００１−２５７７２号に記載されている。
【０００３】
実開昭６２−５８９２号には、水道配管に設けた電解方式の銀イオン発生装置を、水の流量に応じて制御することが記載されている。
【０００４】
特開平９−１８７７７３号には、風呂水を銀イオンとＵＶによって殺菌することが記載されている。
【特許文献１】特開２００１−２５７７２号
【特許文献２】実開昭６２−５８９２号
【特許文献３】特開平９−１８７７７３号
【発明の開示】
【発明が解決しようとする課題】
【０００５】
本発明は、銀イオンの添加やＵＶ照射を適切に行うことができる給水システムを提供することを目的とする。
【課題を解決するための手段】
【０００６】
請求項１の給水システムは、水源機器と、該水源機器から水が供給される第１ないし第ｎ（ｎは好ましくは２以上の整数）のｎ個の吐水部と、該水源機器に設けられた、水に対しエネルギー波又は物質を付与する付与手段とを有する給水システムにおいて、各吐水部に、吐水状態を示す吐水信号を発信する吐水信号発信手段が設けられており、前記付与手段に、該吐水信号を受信する吐水信号受信手段と、各吐水部毎の、エネルギー波又は物質の目標付与量を記憶する記憶手段と、該受信手段で受信した吐水信号の発信元の吐水部を特定し、当該吐水部の目標付与量となるように該付与手段を制御する制御手段とが設けられていることを特徴とするものである。
【０００７】
請求項２の給水システムは、請求項１において、前記吐水信号受信手段が複数の吐水信号を受信した場合、前記制御手段は、いずれか１つの吐水部の目標付与量となるように該付与手段を制御するものであることを特徴とするものである。
【０００８】
請求項３の給水システムは、請求項１において、前記吐水信号受信手段が複数の吐水信号を受信した場合、前記制御手段は、最も付与量が小さい吐水部に対応した付与量となるように付与手段を制御するものであることを特徴とするものである。
【０００９】
請求項４の給水システムは、吐水部と、該吐水部に供給される水に対しエネルギー波又は物質を付与する付与手段とを有する給水システムにおいて、該吐水部からの吐水を検出する吐水検出手段と、該吐水検出手段の吐水検出に基づいて前記付与手段を動作させる制御手段とを備えたことを特徴とするものである。
【００１０】
請求項５の給水システムは、吐水部と、該吐水部に供給される水に対しエネルギー波又は物質を付与する付与手段とを有する給水システムにおいて、該吐水部からの吐水を検出する吐水検出手段と、該吐水部に設けられた付与動作用スイッチと、該吐水検出手段が吐水を検出し、かつ該スイッチが付与動作を選択している状態のときに前記付与手段を動作させる制御手段とを備えたことを特徴とするものである。
【００１１】
請求項６の給水システムは、請求項１ないし５のいずれか１項において、前記物質は銀イオンであることを特徴とするものである。
【００１２】
請求項７の給水システムは、請求項１ないし６のいずれか１項において、前記エネルギー波は紫外線又は超音波であることを特徴とするものである。
【００１３】
上記の水源機器としては、配管（分岐する前の元配管など）、給湯機等が例示されるが、これに限定されない。
【発明の効果】
【００１４】
請求項１の給水システムによると、例えば比較的銀イオンの低い水を吐水させたい手洗い水栓から吐水が行われているときには、銀イオン添加量を少なくし、銀イオンの高い水を吐水させたい洗濯機水栓から吐水が行われているときには銀イオン添加量を多くすることができる。
【００１５】
複数の吐水部から同時に吐水が行われているときには、請求項２のように、いずれか１つの吐水部の目標値となるようにしてもよく、請求項３のように、最も低い値となるように制御してもよい。
【００１６】
請求項４の給水システムでは、吐水が行われているときに限り銀イオンの添加等の動作が行われるので、省エネルギー及び過剰添加防止を図ることができる。
【００１７】
請求項５の給水システムによると、吐水部に吐水されていても、その吐水部の使用者が銀イオンの添加等を欲しないときには、銀イオン添加等を停止することができる。吐水が行われていないときには、銀イオン添加等は行われないので、省エネルギー及び過剰添加防止を図ることができる。
【００１８】
なお、水に銀イオン添加やＵＶ照射することにより殺菌を図ることができる。水に超音波を付与することによっても殺菌効果が得られる。
【発明を実施するための最良の形態】
【００１９】
以下、図面を参照して実施の形態について説明する。
【００２０】
第１図は実施の形態に係る給水システムの系統図、第２図は別の実施の形態に係るシャワーヘッドの説明図、第３図はさらに別の実施の形態に係る浴槽の一部の断面図である。
【００２１】
第１図の給水システムでは、水（湯であってもよい。以下、同様。）は給水元配管１、銀イオン添加装置２、配管３、分岐配管４ａ，４ｂ，４ｃ，４ｄ、流量センサ５ａ，５ｂ，５ｃ，５ｄを経て洗面水栓７ａ、キッチン水栓７ｂ、洗濯機水栓７ｃ、浴室水栓７ｄに供給可能とされている。流量センサ５ａ〜５ｄにはそれぞれ発信器６ａ，６ｂ，６ｃ，６ｄが設けられている。給水元配管１が水源機器である。
【００２２】
銀イオン添加装置２には制御ユニット８が付設されている。この制御ユニット８には、受信回路８ａ、制御回路８ｂ、メモリ８ｃとが設けられている。この制御ユニット８には、図示は省略するが、メモリ８ｃに銀イオン濃度データを入力するためのキーボードと、濃度データを表示する液晶表示器とが設けられている。
【００２３】
メモリ８ｃには、各水栓７ａ〜７ｄからの吐水中に含有させるべき目標銀イオン濃度を入力しておく。
【００２４】
前記発信器６ａ〜６ｄは、各々の流量センサ５ａ〜５ｄの検出流量データ信号と、当該発信器６ａ〜６ｄが設けられている水栓７ａ〜７ｄを示すコード信号とを出力する。
【００２５】
水栓７ａ〜７ｄのいずれか、例えば水栓７ａが開栓されると、当該水栓７ａが設けられている流量センサ５ａが流量を検出し、発信器６ａが流量信号と、水栓７ａのコード信号とを発信する。この発信信号は受信回路８ａで受信され、制御回路８ｂに伝達される。制御回路８ｂは、メモリ８ｃから水栓７ａの目標銀イオン濃度を読み出し、銀イオン添加装置２を制御して配管３へ目標銀イオン濃度となった水を送り出す。これにより、水栓７ａからは、洗面にふさわしい濃度の銀イオンを含んだ水が吐水される。
【００２６】
他の水栓７ｂ〜７ｄを閉栓したときも、同様に各水栓７ｂ〜７ｄについて設定された目標銀イオン濃度の水が吐水される。
【００２７】
水栓７ａ〜７ｄのうち２以上のものが同時に開栓状態となったときには、いずれか１個の水栓の目標銀イオン濃度となるように銀イオン添加装置２を制御してもよく、最も低い目標銀イオン濃度となるように銀イオン添加装置２を制御してもよい。
【００２８】
次に、第２図の実施の形態について説明する。
【００２９】
第２図の実施の形態においては、水は元配管１、銀イオン添加装置２、配管３を経てバス水栓９及びシャワーホース９ａを介してシャワーヘッド１０に供給される。このシャワーヘッド１０には、内部を流れる水によって回転する軸流式発電機１１が設置されている。このシャワーヘッド１０の先端部の内部には、吐水される水にＵＶを照射するためのＵＶＬＥＤ１２が設けられている。
【００３０】
シャワーヘッド１０には、銀イオン添加装置２のＯＮ，ＯＦＦ用の銀イオン用スイッチ１３と、ＵＶＬＥＤ１２をＯＮ，ＯＦＦさせるためのＵＶ用スイッチ１４とが設けられている。また、シャワーヘッド１０には、配管１１の発電出力が入力されると共に、スイッチ１３，１４が接続された制御回路１５と、該制御回路１５から信号が与えられる発信器１６が設けられている。
【００３１】
前記銀イオン添加装置２の制御ユニット８の構成は第１図と同一である。
【００３２】
バス水栓９のシャワーハンドルを操作してシャワーヘッド１０に水を供給すると、発電機１１が回転して発電が行われ、その電力が制御回路１５に入力される。この状態で銀イオン用スイッチ１３をＯＮ操作すると、発信器１６は銀イオン添加指示信号及び流量信号を出力する。この流量は発電機１１の回転数から検知される。この信号が受信回路８ａで受信され、制御回路８ｂは、メモリ８ｃに設定されている目標銀イオン濃度の水が配管３へ供給されるように銀イオン添加装置２を制御する。この目標濃度の銀イオンを含む水がシャワーヘッド１０から吐出される。
【００３３】
銀イオン用スイッチ１３をＯＦＦ操作すると、発信器１６は信号出力を停止する。これにより、銀イオン添加が停止され、銀イオンを含まない水がシャワーヘッド１０から吐出される。
【００３４】
シャワーヘッド１０に水が流れており、従って発電機１１が発電している状態でＵＶ用スイッチ１４をＯＮ操作すると、発電電力によってＵＶＬＥＤ１２が点灯され、水にＵＶが照射される。
【００３５】
このＵＶにより殺菌された水がシャワーヘッド１０から吐出される。ＵＶ用スイッチ１４をＯＦＦ操作すると、シャワーヘッド１０から吐水していても、ＵＶＬＥＤ１２は消灯する。
【００３６】
次に、第３図の実施の形態について説明する。
【００３７】
第３図は、浴槽１９内に気泡含有水を噴出するためのジェットノズル２０を備えた実施の形態を示している。このジェットノズル２０は、ノズル取付筒２１の先端に装着されている。ノズル取付筒２１は、浴槽１９内に配置された先端側フランジ２１ａと、浴槽１９外において該ノズル取付筒２１に螺着されたナット２２との間で浴槽１９のジェットノズル取付用開口１９ａの縁部を挟持することにより、浴槽１９に固定されている。
【００３８】
ジェットノズル２０内には軸流発電機の翼車２３が設置されている。該発電機の発電電力は回路ユニット２４に入力されている。この回路ユニット２４に発信器２５とＵＶＬＥＤ２６，２７とが接続されている。
【００３９】
前記ノズル取付筒２１には、エア・水ミキシング用ハンジング２８が接続されている。このエア・水ミキシング用ハンジング２８内に水が流れると、エアチューブ２９を介して空気が吸い込まれ、気泡含有水がジェットノズル２０から噴出される。
【００４０】
浴槽１９内の水は、配管３０、銀イオン添加装置２、配管３１、ジェット用ポンプ３２、配管３３を介して上記ハウジング２８に供給される。銀イオン添加装置２には洗浄ユニット８が付設されている。
【００４１】
ジェット用スイッチ３５を操作すると、ジェット制御回路３４がポンプ３２を作動させる。これにより、浴槽１９内の水が配管３０，３１，３３、ジェットノズル２０の順に循環し、気泡含有水が浴槽１９内に噴出する。この際、翼車２３が回転し、発電機の発電電力が回路ユニット２４に入力され、発信器２５から翼車回転数に基づく流量信号が発信される。この信号は制御ユニット８の受信回路８ａで受信され、銀イオン添加装置２は、配管３１へ供給される水中の銀イオン濃度がメモリ８ｃに設定されている目標濃度となるように動作する。また、発電機からの電力によりＵＶＬＥＤ２６，２７が点灯し、水がＵＶ殺菌される。
【００４２】
上記実施の形態では、銀イオンを添加したりＵＶＬＥＤを点灯させることにより水を殺菌しているが、超音波発生器を用いて超音波を水に与え、超音波によって水を殺菌してもよい。この超音波発生器の設置位置は、吐水口近傍であってもよく、元配管や分岐配管であってもよい。
【００４３】
本発明では、ＵＶＬＥＤの点灯個数や超音波発生器出力を目標値となるように制御してもよい。また、第２図のスイッチ１３，１４と同様の超音波用スイッチを設け、この超音波用スイッチのＯＮ，ＯＦＦによって超音波発生器を銀イオン添加装置２と同様に制御してもよい。
【００４４】
上記実施の形態は本発明の一例であり、本発明は図示以外の形態をもとりうる。
【００４５】
本発明では、ＵＶの強度を調節するスイッチを設けてもよい。
【００４６】
本発明では、ＵＶＬＥＤを元配管や分岐配管に設けてもよい。
【００４７】
なお、ＵＶと銀イオン添加とを併用すると、銀イオンをＵＶによって活性化することができる。ＵＶ照射する場合、配管内面や翼車の表面等に光触媒を保持させてもよい。
【図面の簡単な説明】
【００４８】
【図１】実施の形態に係る給水システムの系統図である。
【図２】別の実施の形態に係るシャワーヘッドの説明図である。
【図３】さらに別の実施の形態に係る浴槽の一部の断面図である。
【符号の説明】
【００４９】
２  銀イオン添加装置
８  制御ユニット
１０  シャワーヘッド
２０  ジェットノズル
【図１】
2007117802.tif 000003
【図２】
2007117802.tif 000004
【図３】
2007117802.tif 000005